(57)【特許請求の範囲】
【請求項１】
ロール紙を繰り出して発券処理を行う券処理装置において、
複数の搬送ローラ及び、前記搬送ローラに対向する曲面を有する複数のガイド部材からなり、前記搬送ローラと前記曲面により形成された略Ｓ字状の搬送路により、前記ロール紙を略Ｓ字状に屈曲させる経路変換部を有し、
前記経路変換部に前記ロール紙を通過させることにより前記ロール紙を幅方向に移動して繰り出すことを特徴とする券処理装置。
【請求項２】
互いに対向する一対の前記搬送ローラと前記ガイド部材は第１のユニットを構成し、別の一対の搬送ローラとガイド部材は第２のユニットを構成し、前記第１のユニットは、前記第２のユニットに対し、前記ロール紙の幅方向にずれて配置されることを特徴とする請求項１記載の券処理装置。
【請求項３】
前記第１のユニットと、前記第２のユニットは分離可能であることを特徴とする請求項１または２記載の券処理装置。
【請求項４】
前記複数の搬送ローラは、互いに上下方向に、前記ロール紙の紙厚に相当する間隔だけ離間して配設されることを特徴とする請求項１乃至３のいづれか１項に記載の券処理装置。
【発明の詳細な説明】
【技術分野】
【０００１】
本発明は券類の発行及び情報の処理を行う自動券売機に搭載され発券処理を行う券処理装置に関するものである。
【背景技術】
【０００２】
自動券売機等に内蔵されて発券処理を行う券処理装置には、当該装置内部に未印字の状態のロール紙を複数個並列に収納して長時間の稼動を可能としたタイプのものがある。従来、このようなタイプの券処理装置では第１ロール紙と第２ロール紙が収納庫内に並列に格納され、駆動源を駆動させることにより各々のロール紙を別々に繰り出しが可能となっている。
【０００３】
発券時には、自動券売機に設けられた操作画面から顧客により金額、種別等の発券に必要な情報が入力された後、第１ロール紙が第１の搬送路に送り出されると該ロール紙の先端が、カッターにより所定の寸法の券に切断されて発券口から発券される。第１ロール紙が発券により用紙切れになると、第２ロール紙が第１の搬送路とは異なる第２の搬送路に繰り出され、第１ロール紙と同様の手順により発券処理が行われ自動券売機の発券業務が継続される。
【先行技術文献】
【特許文献】
【０００４】
【特許文献１】特開２０００―２９３７１３号
【発明の概要】
【発明が解決しようとする課題】
【０００５】
上記した券処理装置では、第１ロール紙は、第１搬送路に繰り出され、第２ロール紙は、第１搬送路とは異なる別の第２搬送路に繰り出される。すなわち、当該構成の場合、ロール紙の繰り出し機構及び搬送路を収納しているロール紙の本数に応じて設置し同等な機構を２重化した構造を採用している。そのため、券処理装置内に余計な機構を組み込むことになり券処理装置全体が大型化してしまう。
【０００６】
このような課題を解決する発明の一つとしては、例えば特開２０００−２９３７１３号の発明が挙げられる。当該発明では搬送路の幅方向にずれた位置から繰り出されるロール紙をプラテンの周囲に１回転させてループを形成し、ループの形成に併せてロール紙の幅方向の移動を行い搬送路に合流させる構造を採用している。
【０００７】
しかしながら、当該構成ではロール紙の繰り出し位置と搬送路の間隔をロール紙幅より小さく設定するとループを形成する前後のロール紙の側面が互いに接触し、ロール紙を痛めたりジャムの原因となるので、搬送路とロール紙繰り出し位置の間隔をロール紙の幅より必ず広く採る必要があり設計上制限が多い。これらの課題を踏まえ、本発明の目的はロール紙に捩れを生じさせずに共通搬送路にロール紙を繰り出すことができるとともに、さらに、ロール紙の繰り出し位置と搬送路の配置の設計の自由度が高いロール紙の繰り出し方法を考案することにある。
【課題を解決するための手段】
【０００８】
上記課題を解決するために、本発明では、上記した券処理装置に、繰り出したロール紙を略Ｓ字状に屈曲させる経路変換手段を設け、経路変換手段により、ロール紙を略Ｓ字状に屈曲させる。前記経路変換部に屈曲させたロール紙を通過させることによりロール紙を幅方向に移動して前記搬送路に繰り出すことを特徴とするものである。
【発明の効果】
【０００９】
本発明では、経路変換部を略Ｓ字状に形成したことにより、ロール紙に無理な捻れが生じず、屈曲したロール紙自身が接触しあうことが無くなり、ロール紙にジャムが発生したり、痛みが生じるといったことが無くなる。さらにロール紙の繰り出し位置と搬送路の配置に関し、設計の自由度が増し券処理装置の小型化が実現できる。
【図面の簡単な説明】
【００１０】
【図１】本発明の券処理装置の概略構成図である。
【図２】本発明の実施例１の経路変換部の概略構成図である。
【図３】本発明の実施例１のＹ方向から見た経路変換部の概略構成図である。
【図４】本発明の実施例２の経路変換部の概略構成図である。
【図５】本発明の実施例２のＹ´方向から見た経路変換部の概略構成図である。
【図６】本発明の実施例３の経路変換部の概略構成図である。
【図７】本発明の実施例３のアライナローラ及びターンガイドの配置図である。
【発明を実施するための形態】
【００１１】
以下、図面を参照して本発明による券処理装置の実施例を説明する。
【実施例１】
【００１２】
本発明の実施例１では、券処理装置に装填されたロール紙を繰り出す際に略Ｓ字状に屈曲させる経路変換部を設けた構造とし、経路変換部に前記ロール紙を通過させることにより幅方向にロール紙を移動して搬送路に繰り出すようにした。
【００１３】
（構成）
次に実施例１の構成について説明する。図１は実施例１の券処理装置の構成を示した図である。１は券処理装置であり、２は顧客が発券した券類を取り出す発券口、３Ａは最初に発券に使用される第１ロール紙、３Ｂは第１ロール紙が用紙切れした後に、続いて発券される第２ロール紙である。第１ロール紙３Ａ及び第２ロール紙３Ｂは収納庫内に並列に格納され、図示しない駆動源により回転して別々にロール紙の繰り出しが可能となっている。
【００１４】
８Ａは第１ロール紙の収納庫から発券口２までを接続している搬送路であり、該搬送路上にはカッター４、印字ヘッド５、磁気ライトヘッド６が各々配置されている。カッター４では第１ロール紙３Ａ及び第２ロール紙３Ｂを券サイズに裁断する。また印字ヘッド５はカッター９で前記ロール紙を裁断する事によって製作された券類の表面に、券類に応じた所定の情報、例えば発行駅名、発行日、金額、券番号などを印字する。また磁気ライトヘッド６は搬送されてきた券類の裏面に設けられた磁気トラック部に、例えば乗車券に必要な情報である発行駅名、発行日、金額、券番号などを書込み発券処理するものである。
【００１５】
８Ｂは第２ロール紙の収納庫から経路変換部７までを接続する搬送路である。７は第２ロール紙３Ｂを搬送路８Ｂから搬送路８Ａに経路変換させる経路変換部であり、一端を搬送路８Ａ、もう一端を搬送路８Ｂに連結して成る略Ｓ字状搬送路１３を内蔵している。
【００１６】
次に、上記した実施例１の経路変換部７の構成について図２を用いてさらに詳しく説明する。図２は経路変換部７の構成図である。経路変換部７は２つのガイド部材９及び１０から構成される。該ガイド部材９，１０は共に対向する面が略Ｓ字状の曲面に成型されており、互いに組み合わさることにより略Ｓ字状搬送路１３がガイド部材間に形成されるようになっている。ガイド部材９，１０間の略Ｓ字状搬送路１３は、第２ロール紙３Ｂがスムーズに移動できるように数ミリ程度の間隔を有している。図２では略Ｓ字状搬送路１３を紙面に対して直交するように示しているが、紙面に直交しない向きに傾けて設けることにより第２ロール紙が略Ｓ字状搬送路１３内にスムースに誘導されやすくなる。略Ｓ字状搬送路１３の曲面部分の回転半径Ｒ１及びＲ２は使用されるロール紙の腰の強さによってきまり任意に設定することができる。
【００１７】
経路変換部７の下方には媒体挿入口１５があり、媒体挿入口１５の手前には、搬送路８Ｂ上を搬送されてきた第２ロール紙３Ｂを挟持して回転し、該ロール紙を媒体挿入口１５から略Ｓ字状搬送路１３内に送り込む図示しない駆動源を有する搬送ローラ１１ａ及び１１ｂが設置されている。また経路変換部７の上方には媒体排出口１６があり、媒体排出口１６の下流には略Ｓ字状搬送路１３内で屈曲して搬送されてきた第２ロール紙３Ｂを挟持して回転し、該ロール紙を媒体排出口１６から引き出して搬送路８Ａに繰り出す搬送ローラ１２ａ及び１２ｂが設置されている。またガイド部材１０の上端部には回転軸１４が設けられており、手で矢印Ｘ方向にガイド部材１０を引き上げると、ガイド部材１０をガイド部材９から分離させて回転軸１４を中心に回動させて、経路変換部７を開くことができ、略Ｓ字状搬送路１３内にジャムにより滞留しているロール紙を取り出すことが可能となっている。
【００１８】
図３は、実施例１の経路変換部７の構成を図２の矢印Ｙ方向から見た構成図であり、該方向から見た経路変換部７内部の第２ロール紙３Ｂの状態を破線で示している。破線ＳＬ及びＳＲは第２ロール紙の側端を示したものである。実際には、破線ＳＬ及びＳＲは略Ｓ字搬送路１３の曲面に沿って屈曲しているが、説明の都合上直線として図示する。
【００１９】
（動作）
次に実施例１の動作について説明する。図２において、第２ロール紙３Ｂが収納庫から繰り出されて搬送路８Ｂを搬送した後、経路変換部７の媒体挿入口１５に到達する。そして搬送ローラ１１ａ，１１ｂの回転により第２ロール紙３Ｂが略Ｓ字状搬送路１３に送り込まれる。搬送ローラ１１ａ、１１ｂの繰り出し力により第２ロール紙３Ｂは略Ｓ字状搬送路１３に沿ってＡ〜Ｅの順に方向を変えながら略Ｓ字に屈曲して移動し媒体排出口１６に達する。
【００２０】
図３は上記した第２ロール紙３Ｂの動きを図２の矢印Ｙ方向から見た図である。なお、図２に示したＡ〜Ｅの各矢印は、図１のＡ〜Ｅの各矢印に対応している。Ｙ方向から第２ロール紙のＡ〜Ｅの移動を見た場合では、図２のＡ〜Ｅのように媒体挿入口１５から媒体排出口１６に向かって斜め方向にほぼ直線状に移動する。その結果、搬送路８Ａと搬送路８Ｂの高低差に相当する移動量Ｈ及び幅方向のずれ量に相当する移動量Ｗ分だけ第２ロール紙３Ｂの先端の繰り出し位置が移動して繰り出されることとなる。経路変換部７から繰り出され、搬送路８Ａに合流した第２ロール紙の先端部分は、その後、カッター４、印字ヘッド５、磁気ライトヘッド６で所定の発券処理が施され、発券口２から券として発行される。
【実施例２】
【００２１】
本発明の実施例２の券処理装置では、２つのガイド部材及び２つのガイドローラを組み合わせることにより経路変換部を構成してロール紙を略Ｓ字状屈曲させて搬送するようにしたものである。
【００２２】
（構成）
次に実施例２の構成について説明する。図４は本実施例の経路変換部７の構成を示した図である。図４において、２１及び２２は板金等から形成されているガイド部材である。また、２３、２４はガイドローラであり、ガイドローラ２３はガイド部材２１と、ガイドローラ２４はガイド部材２２に各々対向して配置されている。ガイド部材２１、２２は各々ガイドローラに対向する面に曲面を有する。２７はガイドローラ２３、２４及びガイド部材２１、２２により形成される略Ｓ字状搬送路である。略Ｓ字状搬送路２７は、第２ロール紙３Ｂがスムーズに移動できるように数ミリ程度の間隔を有している。ガイドローラ２３及びガイド部材２１は上部ユニット２９を構成している。ガイドローラ２４及びガイド部材２２は下部ユニット３０を構成している。
【００２３】
図５は、本実施例の経路変換部７を図４のＹ´方向から見た構成図である。図５において上部ユニット２９、下部ユニット３０は互いに分離可能に構成されており、また後述する移動量Ｗだけ幅方向にずらして組み合わせることが可能となっている。これにより該移動量Ｗを券処理装置１の仕様に合わせて調整することにより、第２ロール紙３Ｂの排出位置を幅方向に位置を自由に調節することが可能である。
【００２４】
（動作）
次に実施例２の動作について説明する。先ず図４を用いて説明する。第２ロール紙３Ｂが収納庫から繰り出されて搬送路８Ｂを搬送した後、経路変換部７の媒体挿入口２５に到達する。このとき、図示しないセンサにより第２ロール紙３Ｂの先端が検知されるとガイドローラ２３、２４が回転を開始する。そして、ガイドローラ２４の回転により第２ロール紙３Ｂが略Ｓ字状搬送路２７に送り込まれる。第２ロール紙３Ｂは略Ｓ字状搬送路２７に沿ってＡ１〜Ｅ１の順に方向を変えながら略Ｓ字に屈曲して移動して媒体排出口２６に達する。
【００２５】
図５を用いて上記の内容をさらに説明する。ガイドローラ２４の回転により第２ロール紙３Ｂが図中手前から前方に向かって略Ｓ字状搬送路２７に取り込まれる。第２ロール紙３Ｂはガイドローラ２３、２４の回転に追従してＡ１〜Ｅ１方向に斜め上方の媒体排出口２６に向かってに直線的に移動する。そして最終的にロール紙幅の方向に搬送路８Ａと８Ｂとの幅方向の位置のずれに相当する移動量Ｗだけ移動して媒体排出口２６に達する。媒体排出口２６から繰り出された第２ロール紙は搬送路８Ａに合流して搬送されカッター４、印字ヘッド５、磁気ライトヘッド６により所定の発券処理がされる。
【００２６】
上記した実施例２では、２つの搬送ローラ２３、２４の配置されている間隔は図４に示したように、ロール紙の厚さ相当の間隔を想定しているが、実際の実施に際してはこれに限られるものではなく、ロール紙を略Ｓ字に屈曲させることができれば、２つの搬送ローラの間隔を広く取ってもよい。そうすることにより、搬送路８Ａ、８Ｂの高低差についても搬送ローラの位置に制約を受けることがなくなり設計の自由度が増す。また、本実施例では、２つの搬送ローラの回転速度及び回転のタイミングは同じに設定しているが、必ずしもそのようにする必要はなくロール紙の紙質を考慮して自由に制御してよい。
【実施例３】
【００２７】
上述した実施例１では、第２ロール紙が経路変換部内で搬送されている間に、搬送路８Ａ、８Ｂの側面の走行基準面から離れる方向に移動してしまいジャムになることがある。本発明の実施例３では、この問題を解消するために実施例１の搬送ローラの代わりに、アライナローラを設けたことを特徴としている。本実施例のアライナローラにより、第２ロール紙を経路変換している間に搬送路８Ａ、８Ｂの走行基準面に寄せるようにした。略Ｓ字状搬送路内の屈曲点にターンガイドを設けロール紙が滑らかに屈曲できるようにした。
【００２８】
（構成）
次に実施例３の構成について説明する。図６に本実施例の経路変換部７の構成図を示す。経路変換部７はガイド部材９及び１０から構成され、互いに組み合わさることにより略Ｓ字状の搬送路１３がガイド部材間に形成されている。経路変換部７の下方には媒体挿入口１５があり、媒体挿入口１５の手前に、搬送されてきた第２ロール紙３Ｂに搬送路８Ｂの下部から接して支持し回転して該ロール紙を略Ｓ字状搬送路１３内に送り込む搬送ローラ１１ｂが設置されている。
【００２９】
搬送路８Ｂの上部の搬送ローラ１１ｂに対向する位置には第２ロール紙３Ｂを側面の走行基準面３４に寄せるアライナローラ３２が設けられている。また経路変換部７の上方には媒体排出口１６があり、媒体排出口１６の下流に、搬送されてきた第２ロール紙３Ｂに搬送路８Ａの下部から挟持して回転し該ロール紙を引き出す搬送ローラ１２ｂが設置されている。また搬送路８Ａの上部の搬送ローラ１２ｂに対向する位置には第２ロール紙３Ｂを側面の搬送基準面３５に寄せるアライナローラ３３が設けられている。アライナローラ３２、３３は共に２つの円錐状のローラを軸で連結した構造となっており、搬送路８Ａ、８Ｂに回転自由に取り付けられている。
【００３０】
これによりアライナローラ３２、３３は第２ロール紙３Ｂの移動に追従して回転する。図７は、実施例３の経路変換部７内部の第２ロール紙３Ｂの状態を上方から見た図である。図にあるとおり、第２ロール紙３Ｂが走行基準面３４、３５に寄せられた状態でアライナローラ３２、３３は第２ロール紙３Ｂの中心線をまたぎ、当該ロール紙の中央に位置するように配置されている。また、図中の３６、３７はターンガイドであり金属ブロック等から成る板状の補助部材である。ターンガイド３６、３７は略Ｓ字状搬送路の第２ロール紙がターンを開始する部分に取り付けられる。
【００３１】
（動作）
次に実施例３の動作について説明する。搬送路８Ｂを搬送されてきた第２ロール紙３Ｂが媒体挿入口１５付近に達すると、搬送ローラ１１ｂが第２ロール紙を繰り出すを同時にアライナローラ３２によって、走行基準面３４に幅寄せされる。搬送ローラ１１ｂの回転により第２ロール紙３Ｂが略Ｓ字状搬送路１３に取り込まれる。第２ロール紙３ＢはＡ〜Ｅの順に方向を変えながら略Ｓ字に屈曲して移動して媒体排出口１６に達するが、Ａの位置ではターンガイド３６が第２ロール紙３Ｂの側面を支持する。これにより第２ロール紙３Ｂの曲がるきっかけを作る事により、スムースに曲がりやすくなる。
【００３２】
同じくＣの位置ではターンガイド３７が第２ロール紙３Ｂの側面を支持することにより第２ロール紙３Ｂの曲がるきかっけを作る事により、スムーズに曲がりやすくなる。搬送ローラ１２ｂが第２ロール紙を引出しアライナローラ３３によって、走行基準面３５に幅寄せされる。
【００３３】
上記した実施例３の構成では、アライナローラとターンガイドを双方とも設けた構成として説明したが、いずれか一方のみを経路変換部に取り付けて実施してもよい。
【００３４】
以上、実施例１〜３について、第２ロール紙を搬送路８Ｂ側から搬送路８Ａに寄せる場合について説明したが、これとは反対に第１ロール紙を搬送路８Ａ側から搬送路８Ｂに寄せるようにしてもよく、その場合は上述した略Ｓ字状搬送路１３の幅寄せ方向が反対の向きに設けられることはいうまでもない。
また、第１ロール紙及び第２ロール紙を重ねて配置し、搬送路８Ａ及び８Ｂの双方に略Ｓ字状搬送路を設けて、互いにずらし方向を近づけるようにして、１本の搬送路を搬送路８Ａと８Ｂの間に設けることも可能である。これによりロール紙の配置に関係なく券処理装置の中央部に搬送路を設けることが可能となり券処理装置の実装が容易となる。
【符号の説明】
【００３５】
１ 券処理装置
３Ａ 第１ロール紙
３Ｂ 第２ロール紙
９ ガイド部材
１３ 略Ｓ字状搬送路
２４ ガイドローラ
３０ アライナローラ
３６ ターンガイド
【図１】
0005312430.tif 000002
【図２】
0005312430.tif 000003
【図３】
0005312430.tif 000004
【図４】
0005312430.tif 000005
【図５】
0005312430.tif 000006
【図６】
0005312430.tif 000007
【図７】
0005312430.tif 000008